(57)【要約】【課題】座板の前後位置を調節できる椅子において、構造の簡単化と操作の容易性向上とを図る。【手段】合成樹脂製の座板３８に、平面視後ろ向き開口コ字状のスリット５４で囲われた変形容易部３８ａを設けている。変形容易部３８ａには、左右一対の係合ブラケット５０が形成されており、係合ブラケット５０に、前後に方向に断続する下向きの係合凹所４９を形成している。ベースには、係合凹所４９が嵌まるピン４８を設けている。スリット５４の存在により、係合ブラケット５０は軽い力で上向きに起こすことができるため、座板３８の前後移動調節を軽い力で容易に行うことができる。【選択図】　　　　図１３
2004024702.tif 000002
【特許請求の範囲】
【請求項１】
座と、座を前後スライド自在に支持する座受け部とを備えており、座には上係合手段を、座受け部には下係合手段をそれぞれ設け、これら上下係合手段の係合位置を変えることによって座の前後位置が段階的に調節可能になっている椅子であって、
前記上係合手段は、下係合手段から係合解除する方向に弾性に抗して逃げ移動し得るように座板に設けており、人が手で上係合手段を下係合手段から離反する方向に移動させるか、又は、座板を前後方向に押し引きして上係合手段を強制的に下係合手段から離反動させることにより、座板の前後位置を調節可能となっている、
椅子。
【請求項２】
脚の上端に設けたベースと、ベースの上方に配置した中間支持体と、中間支持体の上方に配置した座と、中間支持体に後傾動自在に設けた背支持フレームと、背支持フレームに取付けた背もたれと、背支持フレームの後傾動を弾性的に支持するばね手段とを備えており、
ベースと中間支持体とで前記座受け部が構成されていて、背もたれの後傾動に連動して中間支持体が少なくとも後退動するようになっており、
前記座は中間支持体に前後スライド自在に装着されており、この座に、下向き凹状又は突状の係合部が前後方向に連続する上係合手段を、弾性に抗して上向き動し得るように設けている一方、
前記ベースには、上係合手段に下方から係合する下係合手段を、背もたれの後傾動に連動して中間支持体よりも大きく後退動し得るように設けている、
請求項１に記載した椅子。
【請求項３】
前記座は、合成樹脂製の座板とその上面に張ったクッションとから成っており、前記座板のうち人が手前側から指先を届かせ得る部位に、下向きの係止凹部が前後方向に断続した上係合手段を一体成形すると共に、上係合手段を囲う平面視後ろ向き開口コ字状のスリットを形成することにより、座板のうち上係合手段を設けた部位を、その後部を中心にして上向きに容易に起こし変形させ得る変形容易部とな成している一方、
前記ベースには、前記上係合手段の係止凹部に下方から嵌まるピンを備えた下係合手段が設けられており、下係合手段のピンに対する上係合手段の係止凹部の嵌合位置を変えることによって座の前後位置が調節されるようになっている、
請求項２に記載した椅子。
【発明の詳細な説明】
【０００１】
【発明の属する技術分野】
本発明は、座板の前後位置を調節可能な椅子に関するものである。
【０００２】
【従来の技術】
座の前後位置を調節可能とすることは自動車用シートにおいて最もポピュラーに行われているいるが、回転椅子のような事務用椅子においても、使用者の体格や執務状態に応じて座の前後位置を調節できるようにすることが提案されている。
【０００３】
その例として、特開２００２─１１９３５３号公報には、脚の上端に固定されたベースの左右側板に、上向き開口の凹部が前後方向に断続した側面視凹凸状の有段ガイド部を形成する一方、座板には、前記有段ガイド部の凹部に嵌まるピンを設けて、座板を全体的に持ち上げるとピンが有段ガイド部の凹部から離反して前後移動自在となるように構成された椅子が記載されている。
【０００４】
【発明が解決しようとする課題】
前記公報は、いわば座板のガイド手段と前後位置調節手段とを一体化したものであり、構造を簡単にできる利点はあるが、例えば椅子の持ち運びなどにおいて座板に手を掛けて上向きに持ち上げると、意図していないにもかかわらず座板の前後位置が変わってしまう虞があった。
【０００５】
また、座板が全体的に持ち上がるということは、それだけ座板がガタ付きやすくなる虞もあった。
【０００６】
本発明は、このような現状を改善することを目的とするものである。
【０００７】
【課題を解決するための手段】
本発明に係る椅子は、座と、座を前後スライド自在に支持する座受け部とを備えており、座には上係合手段を、座受け部には下係合手段をそれぞれ設け、これら上下係合手段の係合位置を変えることによって座の前後位置が段階的に調節可能になっている。
【０００８】
そして、請求項１の発明では、前記上係合手段は、下係合手段から係合解除する方向に弾性に抗して逃げ移動し得るように座板に設けており、人が手で上係合手段を下係合手段から離反する方向に移動させるか、又は、座板を前後方向に押し引きして上係合手段を強制的に下係合手段から離反動させることにより、座板の前後位置を調節可能となっている。
【０００９】
請求項２の発明は請求項１を具体化したもので、この発明の椅子は、脚の上端に設けたベースと、ベースの上方に配置した中間支持体と、中間支持体の上方に配置した座と、中間支持体に後傾動自在に設けた背支持フレームと、背支持フレームに取付けた背もたれと、背支持フレームの後傾動を弾性的に支持するばね手段とを備えており、ベースと中間支持体とで前記座受け部が構成されていて、背もたれの後傾動に連動して中間支持体が少なくとも後退動するようになっている。
【００１０】
そして、前記座は中間支持体に前後スライド自在に装着されており、この座に、下向き凹状又は突状の係合部が前後方向に連続する上係合手段を、弾性に抗して上向き動し得るように設けている一方、前記ベースには、上係合手段に下方から係合する下係合手段を、背もたれの後傾動に連動して中間支持体よりも大きく後退動し得るように設けている。
【００１１】
請求項３の発明は、請求項２において、前記座は、合成樹脂製の座板とその上面に張ったクッションとから成っており、前記座板のうち人が手前側から指先を届かせ得る部位に、下向きの係止凹部が前後方向に断続した上係合手段を一体成形すると共に、上係合手段を囲う平面視後ろ向き開口コ字状のスリットを形成することにより、座板のうち上係合手段を設けた部位を、その後部を中心にして上向きに容易に起こし変形させ得る変形容易部と成している。
【００１２】
一方、前記ベースには、前記上係合手段の係止凹部に下方から嵌まるピンを備えた下係合手段が設けられており、下係合手段のピンに対する上係合手段の係止凹部の嵌合位置を変えることによって座の前後位置が調節されるようになっている。
【００１３】
【発明の作用・効果】
本発明は、座板の前後動ガイド手段とは別に上下の係合手段を設けているため、座板に手を掛けて上向きの力をかけても座板の前後位置が簡単に変わることはなく、また、座板のガタ付きも少なくすることができる。
【００１４】
そして、座板に設けた上係合手段が弾性に抗して移動することを利用して下係合手段に係脱させるものであるため、簡単な構造でありながら座板の前後移動調節を容易に行うことができる。
【００１５】
ところで、背もたれの後傾動に連動して座板が少なくとも後傾動するシンクロタイプの椅子では、ロッキング時の安楽状態を向上できると共に、ロッキング時に座板と背もたれとが離反することによるいわゆるシャツめくれの現象を抑制できる。
【００１６】
そして、請求項２のように構成すると、シンクロタイプの椅子において座板の後退量を大きくさせてシャツ捲れ現象を的確に防止できるが、この場合、下係合手段が、座板の前後位置調節手段とロッキング時の座板後退手段とを兼用するため、シャツ捲れ現象防止機能と座板の前後位置調節機能とを備えた椅子でありながら、構造の複雑化を抑制することができる。
【００１７】
上係合手段としては、座板とは別体に構成してこれを座板に取付けることも可能であるが、請求項３のように構成すると、上係合手段は座板に一体成形されているため、構造が簡単になると共に組み立てや部材管理の手間を軽減することができる。また、上係合手段を設けている部位をスリットで囲って変形容易部と成しているため、座の前後移動調節の容易性が損なわれることはない。
【００１８】
【発明の実施形態】
次に、本発明の実施形態を図面に基づいて説明する。
【００１９】
（１）．第１実施形態（図１〜図１３）
▲１▼．全体の概要
図１〜図１３では第１実施形態（主たる実施形態）を示している。このうち図１は椅子の正面図、図２は右側面図、図３は背面図である。
【００２０】
これらの図に示すように、椅子は、キャスター及び脚支柱（ガスシリンダ）１を備えた脚２と、脚支柱２の上端に固定したベース３と、ベース３の上方に配置した中間支持体４と、中間支持体４で支持した座５と、ベース３に後傾動自在に取付けた背支持フレーム６と、背支持フレーム６に取付けた背もたれ７と、背もたれ７に取付けたヘッドレスト装置８と、座５の左右両側に配置した肘掛け装置９とを備えている。
【００２１】
背もたれ７は、合成樹脂製の背もたれ板（背インナー部材）１０と、その前面に重ねたクッション１１と、背もたれ板１０の裏側に空間を隔てて配置した裏カバー（背アウター部材）１２とを備えている。
【００２２】
詳細は省略するが、背もたれ板１０と裏カバー１２との間には、背もたれ板１０のうち主として着座した人の腰に当たる部分を押し出すランバーサポート機構を配置している。ランバーサポート機構は裏カバー１２を囲うように延びるハンドル１４を備えており、このハンドル１４を操作することにより、背もたれ板１０の前向き突出量と押し出し高さ位置とを調節することができる。
【００２３】
肘掛け装置９は、肘支柱１５と、これに高さ調節自在及び回転自在に被嵌した昇降筒１６と、昇降筒１６の上端に上下回動自在に取付けた肘当て１７とを備えている。
【００２４】
▲２▼．ロッキング機構の概要
次に、ロッキング機構や座の支持機構など、本願発明に関する部分の詳細を図４以下の図面を参照して説明する。まず、図４〜図１０に基づいて、ロッキング機構を説明する。
【００２５】
図４は中央縦断側面図、図５はベース３の側部の箇所で切断した状態の部分的な右側断面、図６は分離した状態の右側面図、図７〜図１０は部材の斜視図である。
【００２６】
例えば図７〜９に示すように、ベース３は上向きに開口したケース状に形成されており、後部寄りの箇所に脚支柱１が嵌着している。また、ベース３の左右側板の前部には、前後長手で側面視後傾状の長穴２０が空いており、これに第１軸（スライド軸）２１がブッシュ２２を介して貫通している。
【００２７】
ベース３の前後ほぼ中間部には第２軸２３が貫通しており、この第２軸２３で背支持フレーム６の前端がベース３に連結されている。第２軸２３はねじ（図示せず）で背支持フレーム６に抜け不能に保持されている。
【００２８】
背支持フレーム６は側面視で略Ｌ字状に形成されており、本実施形態では、アルミのような軽合金（鉄のような他の金属でも良い）のダイキャスト品を使用している。左右の背支持フレーム６の前後中途部には上向き突起２４が形成されており、左右の突起２４は第３軸２５で連結されている。
【００２９】
また、前記第２軸２３には、ばね手段の一例として、左右一対のキックばね（ねじりコイルばね）２６がばね受け２７を介して被嵌している。キックばね２６の前向き端部は受け部材２８で上方から支持されており、キックばね２６の後方に延びる他端は第３軸２５の下方まで延びている。
【００３０】
図４に示すように、ばね受け２７には側面視で略Ｕ字状で前向きに延びる荷重受け部２７ａが形成されている。そして、詳細は省略するが、キックばね２６の前向き端部は、ばね受け２７の荷重受け部２７ａで上方から支持されている。
【００３１】
また、ばね受け２７の荷重受け部２７ａにはボルト受け２９が旋回不能に嵌まっており、このボルト受け２９に上方から調節用ボルト３０が回転不能に嵌まっている。調節用ボルト３０はベース３に貫通しており、これに摘まみ３１が下方からねじ込まれている。
【００３２】
中間支持体４は合成樹脂製であり、全体としては板状で、正面視で上向き凹状に形成されている。より正確に述べると、中間支持体４は、その左右中間部は水平状で、その左右両側の部分は外側に向けて上向きに傾斜した羽根部となっており、全体として翼状に形成されている。また、中間支持体４には、主として補強のため、前後方向及び左右方向に延びる多数本のリブが形成されている。
【００３３】
中間支持体４の前部と後部とには、ベース３の左右外側に位置する左右一対ずつの軸受け部３３，３４を下向きに突設しており、前軸受け部３３を前記第１軸２１でベース３に連結されている。また、後軸受け部３４には前記第３軸２５が貫通している。
【００３４】
従って、背支持フレーム６はキックばね２６の弾性に抗して後傾し、かつ、中間支持体４及び座５は背支持フレーム１１の後傾動に連動して後傾しつつ後退する（すなわち、座５が背もたれ７にシンクロする）。中間支持体４の後端には、ベース３の後面に沿って延びる後部カバー３６を設けている。
【００３５】
▲３▼．中間支持体と座の構造
次に、従前の図に加えて図１１及び図１２も参照して中間支持体４と座５とについて説明する。図１１は座板及び下カバーの平面図、図１２は座板の要部底面図である。
【００３６】
例えば図７〜図１０に明示するように、中間支持体４の左右両側縁には、前後方向に延びる雄形レール部３７を形成している。他方、図４に示すように、座５は、ポリプロピレンのような合成樹脂を素材とした座板（座インナー部材）３８と、その上面に張ったクッション３９とから成っており、図１０に示すように、座板４８の左右側部には、中間支持体４の雄形レール部３７に対して外側からスライド自在に嵌まる雌形レール部４０を形成している。
【００３７】
座板３８には、その撓み変形を容易ならしめるため、向きや長さの異なる多数のスリット群４１を形成している。この場合、着座した人の体圧が強く作用する部分ほどスリット群４１の密度を高くすることにより、人の臀部へのフィット性を高めている。
【００３８】
図４に示すように、中間支持体４の後部上面には左右雄型レール部３７の間まで延びる１枚の補強板４２が重ねられており、ビスで固定されている。
【００３９】
▲４▼．座と中間支持体との相対動機構及び座板の前後位置調節機構
座５は中間支持体４よりも大きい寸法で後退動するように設定されている。この点を、上記各図の他に図１３も参照して説明する。
【００４０】
図４や図８に示すように、第１軸２１のうち左右中間部には、下係合手段を兼用する側面視く字状（ベルクランク状）のリンク体（てこ部材）４４が回動自在に嵌まっている。
【００４１】
リンク体４４の下部には左右外向きに突出するガイド軸４５が一体に形成されており、このガイド軸４５は、ベース３に一体に又は別体に設けた左右下係止体４６の側面に形成された側面視後傾状のガイド溝４７にスライド自在に嵌まっている。従って、着座した人が背もたれ７にもたれかかることによって第１軸２１が後退すると、リンク体４４はその上端が後方に移動するように回動する。
【００４２】
リンク体４４の上端には、左右長手の駆動ピン４８が左右外側にはみ出た状態で貫通している一方、座板３８の前部下面には、上係合手段の一例として、前記駆動ピン４８の左右端部が嵌合する複数（３個の）の係合凹所４９を備えた係合ブラケット５０が一体成形している。
【００４３】
従って、背もたれ７が後傾して第１軸２１が後退すると、リンク体４４が回動して、座５は中間支持体４よりも大きい寸法で後退動する。隣合った係合凹所４９の間の部位は側面視で円弧状になっている。
【００４４】
リンク体４４は中間支持体４に設けた逃がし穴５１から上向きに延びており、このため、中間支持体４の前後動を許容した状態でリンク体４４を回動させることができる。なお、駆動ピン４８を設けることに代えて、リンク体４４の上端にピン部を一体に設けても良い。
【００４５】
例えば図１０から良く理解できるように、座板３８の下面のうち左右係合ブラケット５０の外側には、駆動ピン４８の抜けを防止するためのサイドストッパー５３を一体に設けている。
【００４６】
左右係合ブラケット５０の前端は補強リブによって一体に繋がっており、かつ、座板３８に、左右係合ブラケット５０と補強リブとの外側とを囲うスリット５４を形成することにより、左右係合ブラケット５０を設けた部位を、後端部を中心にして上向きに容易に起こし変形させ得る変形容易部３８ａとなしている。
【００４７】
補強リブは、一般成人が座板３８の手前側から指を伸ばすと触れる程度の部位に位置している。従って、補強リブを指で上向きに押し上げることにより、左右係合ブラケット５０を上向きに押し上げ移動させることが可能である。
【００４８】
座板４には、その周辺部を下方から覆う下カバー５５が取付けられており、この下カバー５５の前端部には、下向き凹状の引手穴５５を形成している。また、座板３８の前端寄り部位のうちスリット５４を挟んで手前側の部位には左右長手の突条５７を設けており、下カバー５５の前端部は突条５５に重なっている。
【００４９】
図１３に明示するように、係合ブラケット５０の前部は、座板３８の後退位置を規制するためのフロントストッパー５０ａになっており、係合ブラケット５０の後部は、座板３８の前身位置を規制するためのリアストッパー５０ｂになっており、これらのストッパー５０ａ，５０ｂは、その間の部位よりも下向き高さが高くなっている。
【００５０】
また、リアストッパー５０ｂの後面は傾斜面５０ｃになっており、このため、座板３８の雌形レール部４０を中間支持体４の雄形レール部３７に嵌め込むにおいて、傾斜面５０ｃのガイド作用により、座板３８の弾性変形を利用して係合ブラケット５０は駆動ピン４８を簡単に乗り越えることができる。
【００５１】
本実施形態の椅子は、背もたれ７の傾動範囲を複数（４つ）の範囲に切り換えることができる傾動調節機構を備えているが、本願発明との直接の関係はないので詳細は省略する。
【００５２】
▲５▼．座板の前後位置調節
座板５の前後位置を調節する方法には２つの態様が考えられる。一つは、椅子の使用者が腰を浮かせて、指先で補強リブを押し上げて変形容易部３８ａを撓み変形させることにより、図１３（Ｂ）に示すように、左右係合ブラケット５０とピン４８との係合を解除して前後動させる方法であり、この場合は、座板５の前後位置の調節を至極容易に行うことができる。
【００５３】
他の態様は、下カバー５５の引き手穴５６に指を掛けた状態で座５の前端部を掴んで押し引きする方法であり、この場合は、座板３８の変形容易部３８ａが容易に撓み変形することと、前後に隣合った係合凹所４９の間の部位が側面視円弧状であることとにより、任意の係合凹所４９をピン４８に係脱させることができる。
【００５４】
なお、座板４８も全体的に撓み変形し得るため、座板５の前端部を掴んで前後動させる場合、座板３８が全体的に変形することも、係合凹所４９とピン４８との係脱に寄与している。
【００５５】
そして、座板３８は中間支持体４に対して上下離反不能に装着されているため、座５が上下方向にガタついたり、座５の縁に手をかけて持ち上げることによって座５の前後位置が意図することなく変化するような不都合はない。
【００５６】
本実施形態のように左右の係合ブラケット５０を補強リブで繋ぐと、変形容易部３８ａのねじれ現象を防止して、左右の係合ブラケット５０をピン４８に対して的確に係脱させることができる利点がある。
【００５７】
図１２に一点差線で示すように、スリット５４をサイドストッパー５３の外側に設けることも可能であるが、この場合は、サイドストッパー５３の下向き突出寸法を大きくしないと、係合ブラケット５０を上向きに起こしたときにピン４８がサイドストッパー５３から外れてしまう虞がある。
【００５８】
これに対してスリット５４をサイドストッパー５３の内側に設けると、サイドストッパー５３の下向き高さ寸法を大きくしなくても、ピン４８を左右抜け不能に保持した状態で係合ブラケット５０を上向きに起こせる利点がある。
【００５９】
（２）．第２実施形態（図１４〜図１５）
図１４では第２実施形態を示している。この実施形態は基本的には第１実施形態と同じであり、左右係合ブラケット５０を繋ぐ補強リブに操作片５９を装着している点で相違している。
【００６０】
操作片５９は、補強リブに下方から被嵌しており、かつ、爪部５９ａを、座板３８に設けた穴６０に下方から係合させている。従って、ねじ止めのような作業を要することなく、ワンタッチ的に取付けることができる。もちろん、ねじのようなファスナーで取り付けても良いし、射出成形法で製造するに際しての金型のいわゆる抜き違いによって一体成形することも可能である。
【００６１】
この第２実施形態のように操作片５９を設けると、左右係合ブラケット５０の起こし操作をより一層容易に行える（変形容易部３８ａの付け根から操作片５９までの距離が長くなるため、係合ブラケット５９の起こし操作をより軽い力で行える）。
【００６２】
図１５では、例えばベースに設けた下係合手段６１に、上向きの係合凹所６２を前後方向に連続するように形成する一方、座板３８に、一つの係合凹所６２に嵌まる上係合手段６３を設けている。
【００６３】
上係合手段６３は、スナップ係合方式により、割爪６３を座板３８の変形容易部３８ａに取り付けている。また、上係合手段６３に操作片６３ｂを一体に設けている。
【００６４】
（３）．その他
本発明は、上記の実施形態の他にも様々に具体化することができる。例えば、上下係合手段の具体的な形態は様々に具体化することができる。また、各実施形態は上下係合手段が上下方向から係脱していたが、上下係合手段を椅子の正面視で左右方向から係脱させることも可能である。
【００６５】
また、上係合手段を座板とは別体に構成して、例えばクッション材を介して座板の下面に貼着することにより、上係合手段か下係合手段から逃げ移動可能となるように構成したり、或いは、座板とは別体に構成した上係合手段を、一端を座板に固定した板バネの他端に取付けることにより、上係合手段が下係合手段に対して係脱するように構成するなどしても良い。
【図面の簡単な説明】
【図１】第１実施形態に係る椅子の正面図である。
【図２】右側面図である。
【図３】背面図である。
【図４】要部の中央縦断側面図である。
【図５】ベースの側部の箇所で切断した状態の部分的な右側断面図である。
【図６】分離した状態の要部の右側面図である。
【図７】座板と中間支持体とベースとの上方からの分離斜視図である。
【図８】ベースは中間支持体との上方からの分離斜視図である。
【図９】座板と中間支持体とベースとの下方からの分離斜視図である。
【図１０】座板と中間支持体との下方からの分離斜視図である。
【図１１】座板と下カバーとの平面図である。
【図１２】座板の要部底面図である。
【図１３】座の前後位置調節を示す図である。
【図１４】第２実施形態を示す図である。
【図１５】第３実施形態を示す図である。
【符号の簡単な説明】
３　ベース
４　中間支持体
５　座
６　背支持フレーム
７　背もたれ
３８　座板
５４　下係合手段を兼用するリンク体
４８　ピン
４９　係合凹所
５０　上係合手段の一例としての係合ブラケット
５２　補強板
５３　サイドストッパー
【図１】
2004024702.tif 000003
【図２】
2004024702.tif 000004
【図３】
2004024702.tif 000005
【図４】
2004024702.tif 000006
【図５】
2004024702.tif 000007
【図６】
2004024702.tif 000008
【図７】
2004024702.tif 000009
【図８】
2004024702.tif 000010
【図９】
2004024702.tif 000011
【図１０】
2004024702.tif 000012
【図１１】
2004024702.tif 000013
【図１２】
2004024702.tif 000014
【図１３】
2004024702.tif 000015
【図１４】
2004024702.tif 000016
【図１５】
2004024702.tif 000017